(57)【要約】【課題】水洗便器内に清掃具を直接設置する事により、水洗しても便器内側に残っていた汚れや、水の供給不全により流せない汚れの処理が、容易に行える。【解決手段】汚れを払う先端は便器の内側下方中空に位置し、連続する柄は逆凹形をして便器の縁を挟んで跨ぎ、一方の端は便器の外側から突出し中空に位置し、上記逆凹形が便器の縁を挟み跨いで安定する便器清掃具を作り、周りに突出した縁がある便器において、便器に在る装置を避け、上記清掃具の汚れを払う先端を便器の内側下方向に、逆凹形に曲げた部位で便器の縁を挟んで跨ぎ、一方の端を中空に位置させて便器に直接設置できる清掃具設備を装置する。【選択図】図２
2005152550.tif 000002
【特許請求の範囲】
【請求項１】
先端の辺、清掃する柄の先端は便器の内側中空に位置し、連なる柄の横の辺は逆凹形に曲げて便器の縁上を挟んで跨ぎ、連なる柄の取っ手の辺は便器外側から突出して端は取っ手として中空に位置して成り、洋式便器や和式便器の形状やサイズに合わせ上記逆凹形を便器の縁に被せて静止することを特徴にして製造した清掃具を作り、縁がある洋式便器や和式便器において、上記清掃具の、先端の辺を便器の内側に、横の辺の逆凹形で便器に在る装置を妨げない縁を挟んで跨がせ、取っ手を便器の外側から中空に位置させて静止する特徴から成る。便器内に設置して用いる清掃具と便器に設けた清掃具装置。
【発明の詳細な説明】
【技術分野】
【０００１】本発明は、便器に直接設置できる清掃具と、該清掃具の設置装置に関するものである。
【背景技術】
【０００２】  従来、便器内の汚物を洗い流す方法が在る。しかし、給水不全などの事情で汚物を洗い流す事が出来ず、便器内に汚物を残すことがしばしば起きる事がある。であるから排泄物を残す者も、残された者も不快な感じをしておおいに困惑する。便器の周囲を探せばまれに清掃具が見当たる場合もあるが、扱い方が不便で、容易でない清掃具であるから、便器内が少しぐらい汚れても放置する場合が多い。清掃が出来ず便器が汚れた状態に在る事は問題である。便器使用者達は、汚した者も、汚された便器を使用する者も精神的な不快感を強いられる。よって、従来の水洗便器は排泄物を完全に除去しきれない問題を抱えながら、適切な問題解決策が施されていない。便器メーカー達は、従来の便器内洗浄装置に在る問題点を補う装置や設備を整え、便器使用者に快適な使用をしてもらう努力を怠っている。
【発明の開示】
【０００３】
【発明が解決しようと課題】
【０００４】  解決しようとする課題は、水洗機能が不完全になったり、水洗しても便器内に汚物が残り付着する問題を解決する方法は、手動でも良いから、付着したり残った汚物を誰もが咄嗟に、その時その場で簡単に汚物を払えて快適になれる装置と用具の出現にある。
【課題を解決するための手段】
【０００５】  先端の辺、清掃する柄の先端は便器の内側下方中空に位置し、連なる柄の横の辺は逆凹形に曲げて便器の縁上を挟んで跨ぎ、さらに連なる柄の取っ手の辺は便器の外側に向かい、その端に取っ手が便器の外側に突出中空に位置し、先端の辺と横の辺と取っ手の辺のバランスを整え、洋式便器や和式便器の形状に合わせたサイズにし、上記逆凹形が便器の縁上を跨いで安定する形状に設計して製作した便器清掃具を作り、専ら突出した縁が周りにある洋式便器や和式便器において、上記清掃具の先端の辺、汚れを払う先端を便器の内側下方向に、横の辺の逆凹形に曲げた部位で便器の装置を妨げない縁を挟んで跨ぎ、連なる取っ手の辺の端を中空に静止して成る、便器に直接設置できる清掃具設備を装置すると良い。
【０００６】前記横の辺と取っ手の辺を境目で分離できる柄の辺にし、柄の辺を連なる柄にする為、分離した辺の境に其々接続装置を備えて接続し、接続装置の調節具合で取っ手側が左右に回転、固定できる状態にして、取っ手側の柄の角度を調節して扱える清掃具を作り、上記清掃具の先端が便器の内側下方向に、逆さ凹形に曲げた部位を便器の縁上に当てて縁を挟んで鞍の如く跨がせ、柄が連なる取っ手の端は上向き中空で静止させて成る、便器に直接設置できる清掃具設備を装置すると良い。
【０００７】  前記先端の辺と連なった横の辺逆凹形に曲げた柄の端に便器外側からに中空に向いた取っ手を設け、伸びる取っ手の辺を省いた便器清掃具を作り、上記清掃具の先端が便器の内側に、逆さ凹形に曲げた部位を便器の縁上に当てて縁を挟んで跨がせ取っ手が、便器の外側中空で静止して成る便器に直接設置できる清掃具設備を装置すると良い。
【０００８】  縁上をグリップして跨ぐ、折り曲げ可能な金属の安定板を作り、横の辺の背面に装着し、清掃具が便器の縁上を鞍の如く跨ぐ横の辺の背面にある上記安定板を下に折り曲げ、便器の縁を安定板で挟む清掃具にして便器に装置するのも良い。
【０００９】  前記便器清掃具を装置する便器の縁または便器に当たる清掃具の背面に、ゴムテープなどの緩衝、滑り防止用具を貼着すると、便器を傷つけないし清掃具も滑り難いから良い。
【００１０】  前記便器清掃具を装置する便器の縁の内側か縁上面に、柄が容易にはずれない略Ｕ字形や鉤型の固定具をテープなどで固着するなどの方法で装着し、前記先端の辺を差し入れると、清掃具が装置から容易に外れ難いから良い。
【００１１】  清掃具を装着装置する便器の縁にビニールテープやゴムテープを貼るなど、上記清掃具設置ヶ所に印をつけて成る上記清掃設備装置を作ると、便器と清掃具の接触緩衝具となり、装置する目印にもなる。
【００１２】  清掃具を便器の縁に置いたり外したりする動作時に、装着を安定させる目的で、上記便器に清掃具係り止め具を装置し、清掃具にその止め具受け装置をつけて成る上記清掃具設備装置と該清掃具を作るのも良い。
【００１３】  前記清掃具を便器の縁上で安定させる為に重要な点は、該清掃具が便器の縁上を鞍の如く跨いで縁をグリップするような形状を保ち、便器の縁を縦に静止して設置する清掃具全体の形状とバランスがとれた比重に在るから、バランスを整える錘を作り、清掃具の両端を重くするか、清掃具の横の辺を重くする方法で、便器縁上での安定が増す。先端や取っ手を交換してバランスが不安定になれば、装着用のバランス錘を清掃具の部分に装着するのも良い。
【００１４】  該清掃具の各辺や先端や取っ手の形状や性能は、便器の形状や使用目的に応じて種々、諸々の製法があり、前記清掃具全体および各辺や部位を繋ぐ付け替え出来たり、部品交換式にしたり、使用者のニーズに応じられるデザインや形状、種々の材質や風合い、異なる先端毛の太さや長サ、先端のスポンジやヘラなど、それらを混成した物など、全体のバランスが取れる形状を設計して、汚れを払う先端を便器の内側に常備させ、柄の逆凹形を便器の縁を挟み、取っ手が便器の外側に突出して安定静止する、専ら便器内側を清掃する為の清掃具を作り、前記清掃具の柄、先端の辺、横の辺、取っ手の辺に繋ぎ目が無いのも良いし、連結装置を施して繋ぎ目があるのも良いし、各辺の長さをスライドコントロール出来たり、曲がる角度を調節できる具合に製造するのも良い。
【００１５】  清掃具を便器の縁に挟み装置した状態の時、汚れを払う先端を汚染させない為に、先端の辺を短くしたり、先端の辺を逆Ｔ字形にしてその長くした横の辺の端の汚れを払う先端を付けて、便器内側下横のほぼ同じ高さにするなどして、清掃具の形状は扱い易く合理的であるのも良い。
【発明の効果】
【００１６】  従来の便器には、水洗レバーを数回押しても汚れが残る場合がある。しかし、本発明の清掃具を従来の便器に設備すれば、その時その場で汚した者が清掃具を使い、咄嗟に汚れを払うことができる。便器を清潔に使用する新たな生活習慣を育み、トイレットにおけるモラルの向上に著しく貢献する。
水洗便器における断水又は取水制限は、致命的であるが、本発明清掃具を便器に設置して備えるなら、その弱点をカバーする事が明らかであり、取水に問題が起こる可能性が在る便器や簡易水洗便器には、欠かせない装置であり清掃具であるから、従来便器に在った欠陥を補い保健衛生の意識を高める貢献の度合いは誠に大である。
【発明を実施するための最良の形態】
【００１７】  水洗便器に対応する形態として、清掃具は便器の内側下から縁上を跨ぎ取っ手が便器の外側から中空に突出し、汚れを払う先端は水流を妨げない位置に、連なる柄の横の辺は逆さ凹形に曲げて便器の縁上を挟んで跨ぎ安定し、さらに連なる柄の取っ手の辺は便器の外側から突出し中空に静止する。
跨ぐ縁がある水洗便器に、上記清掃具の、汚れを払う先端を便器の内側下方向に、逆さ凹形に曲げた部位を便器の縁上に当てて縁を挟んで跨がせ、柄が連なる取っ手の端は便器の外側から突出し中空で静止させて成る、水洗便器に直接設置する清掃具設備を装置する。
本発明の清掃具は、従来から在る便器に改良を加えたり、特別の装置を付設したりしなくても容易に取り付け設置できる物品であり、先端の辺から連なる横の辺の柄を平らにし、横の辺の逆凹形の部位が清掃具のバランス均衡の中心に成るように設計され、装置する便器の縁上を鞍の如く跨いで挟み、便器の縁の上で安定できる清掃具であり、装置した便器における着脱も簡単に素早く行え、汚れを素早く払う目的を満たし、外観的にもシンプルであり、便器使用の邪魔にならない。などの特徴がある。
【実施例１】
【００１８】    図１に示すごとく、先端はプラスチックに植毛したブラシであり、連なる柄は厚さ１ｍｍ幅１４ｍｍのステンレス板を便器の形に合わせて折り曲げてあり、一方の端に取っ手を設けて成る便座式洋式の便器に装置する清掃具である。
図２に示すごとく、便座式水洗便器の蓋を開けて、便器にある装置の邪魔にならない便器の縁上に、専用の清掃具を装置し、便器内に水圧を掛けても付着していた汚れを清掃具の先端で咄嗟に払い流し、使用した清掃具は再び元の便器の縁上に装置した。
【実施例２】
【００１９】  図３に示すごとく、先端はプラスチックに植毛したブラシであり、連なる柄は厚さ１ｍｍ幅１４ｍｍのステンレス板を便器の縁の形に合わせて折り曲げてあり、一方の端に取っ手を設けて成る和式便器専用に装置する清掃具である。
図４に示すごとく和式水洗便器使用の邪魔にならない縁上に、専用の清掃具を装置し、便器内に残っていた汚物を装置した清掃具の先端で咄嗟に払い流し、清掃具を再び元の便器の縁上に設置した。
【産業上の利用可能性】
【００２０】  本発明の清掃具は、従来から在る便器に改良を加えたり、特別の装置を付設したりしなくても容易に取り付け設置できる物品であり、先端の辺から連なる横の辺にある逆凹形の部位が清掃具のバランス均衡に保ち安定させるように設計され、装置する便器の縁上を跨いで挟みむだけで、装置からの着脱も簡単に素早く行え、汚れを素早く払う目的を満たし、外観的もシンプルであり、便器使用の邪魔にならないなどの特徴がある。
便器の水洗化率が上昇し続けている事は喜ばしい事であるが、水の供給制限が発生した場合の対策は殆んど無策であり、従来の水洗便器にその点を見る限り欠陥があったが、本発明を装置すれば、バケツで補水しながら装置を使い欠陥を補える。
従来にない物品であり装置であり、見落とされていた清掃具装置の出現となり、試用した使用者からは１００％満足する回答が得られた。
従来から在る便器に何ら特別な細工を必要としないで、殆んど全ての便器に直ちに装置できる利点がある。
大量生産により、本発明の清掃具を大変安価に供給できる利点がある。
使う便器が美しく衛生的であるか無いかは、文化的生活を営む生活者にとって重大な日常的関心事である利点がある。
本発明が普及すると便器の美化に役立ち、国民の保健衛生向上に著しく貢献するから、官民上げて奨励される可能性がある。ベストセラー商品の要件を具備していると言える。
【図面の簡単な説明】
【００２１】
【図１】便座式洋式便器用の清掃具の略斜視図である。（実施例１）
【図２】洋式便器への実施方法を示した説明図である。（実施例１）
【図３】和式便器用の清掃具の略斜視図である。      （実施例２）
【図４】和式便器への実施方法を示した説明図である。（実施例２）
【符号の説明】
【００２２】  １  スポンジ付き洋式便器用清掃具
２  座式の洋式水洗便器
３  ブラシ付き和式便器清掃具
４  和式水洗便器
【図１】
2005152550.tif 000003
【図２】
2005152550.tif 000004
【図３】
2005152550.tif 000005
【図４】
2005152550.tif 000006